(57)【要約】【課題】溶接ワイヤの長さを容易に調整できるワイヤカット用治具を提供する。【解決手段】本開示の一態様は、ニッパに取り付けられるワイヤカット用治具である。ワイヤカット用治具は、溶接ワイヤが挿通されたチップを保持するように構成された保持部を備える。保持部は、チップの少なくとも先端部が挿入可能な枠部と、枠部のチップの挿入方向における端部に配置された規制部と、を有する。規制部は、ニッパの刃面から一定距離離間して配置される規制面と、規制面よりも刃面に近接して配置される底面と、規制面から底面まで貫通した挿通孔と、を有する。挿通孔の径は、チップの外径よりも小さく、かつ溶接ワイヤの外径よりも大きい。【選択図】図１
2019136279.tif 000002
【特許請求の範囲】
【請求項１】
ニッパに取り付けられるワイヤカット用治具であって、
溶接ワイヤが挿通されたチップを保持するように構成された保持部を備え、
前記保持部は、
前記チップの少なくとも先端部が挿入可能な枠部と、
前記枠部の前記チップの挿入方向における端部に配置された規制部と、
を有し、
前記規制部は、
前記ニッパの刃面から一定距離離間して配置される規制面と、
前記規制面よりも前記刃面に近接して配置される底面と、
前記規制面から前記底面まで貫通した挿通孔と、
を有し、
前記挿通孔の径は、前記チップの外径よりも小さく、かつ前記溶接ワイヤの外径よりも大きい、ワイヤカット用治具。
【請求項２】
請求項１に記載のワイヤカット用治具であって、
前記保持部は、前記チップの挿入方向と交差する方向から前記規制面が視認されるように構成された窓部をさらに有する、ワイヤカット用治具。
【請求項３】
請求項２に記載のワイヤカット用治具であって、
前記窓部は、前記保持部のうち、前記ニッパのグリップに近い部分に配置される、ワイヤカット用治具。
【請求項４】
請求項１から請求項３のいずれか１項に記載のワイヤカット用治具であって、
前記保持部は、前記チップの挿入方向に延伸し、前記枠部の内部空間及び前記挿通孔と、保持部の外部とを連通するスリットをさらに有する、ワイヤカット用治具。
【請求項５】
請求項１から請求項４のいずれか１項に記載のワイヤカット用治具であって、
前記保持部は、前記ニッパの２つの刃部のうち、一方の刃部に固定される、ワイヤカット用治具。
【請求項６】
請求項１から請求項５のいずれか１項に記載のワイヤカット用治具であって、
前記枠部は、内部空間に挿入された前記チップの中心軸が前記刃面に対し垂直となるように構成され、
前記挿通孔は、中心軸が前記刃面に対し垂直である、ワイヤカット用治具。
【請求項７】
請求項１から請求項６のいずれか１項に記載のワイヤカット用治具であって、
前記刃面に対し前記保持部とは反対側に配置されると共に、前記ニッパによって切断された溶接ワイヤを保持するように構成された補助保持部をさらに備え、
前記補助保持部は、前記ニッパの前記２つの刃部の開閉に連動して開閉するように構成された２つの把持部を有する、ワイヤカット用治具。
【発明の詳細な説明】
【技術分野】
【０００１】
本開示は、ワイヤカット用治具に関する。
【背景技術】
【０００２】
溶接ワイヤを用いた溶接作業では、溶接トーチの先端に設けられたチップから、予め決められた長さの溶接ワイヤを延出させる必要がある。具体的には、溶接を行う作業者がスケールを溶接ワイヤにあて、目盛に合わせて余分な部分を切断する。このような手順では、切断後の溶接ワイヤの長さ、及び作業時間に個人差が生じ得る。
【０００３】
一方、被覆電線に対し一定の長さで心線を切断することで、露出長を調整する治具が公知である（特許文献１参照）。
【先行技術文献】
【特許文献】
【０００４】
【特許文献１】実開平０１−０７９４７１号公報
【発明の概要】
【発明が解決しようとする課題】
【０００５】
上記公報の治具では、被覆を片に突き当てることで位置決めを行っているが、溶接トーチのチップは、先端の形状が一定でないため、同様の構成で位置決めを行うことは困難である。
【０００６】
本開示の一局面は、溶接ワイヤの長さを容易に調整できるワイヤカット用治具を提供することを目的としている。
【課題を解決するための手段】
【０００７】
本開示の一態様は、ニッパ（１０）に取り付けられるワイヤカット用治具（１）である。ワイヤカット用治具（１）は、溶接ワイヤ（Ｗ）が挿通されたチップ（Ｔ）を保持するように構成された保持部（２）を備える。保持部（２）は、チップ（Ｔ）の少なくとも先端部が挿入可能な枠部（２１）と、枠部（２１）のチップ（Ｔ）の挿入方向における端部に配置された規制部（２２）と、を有する。規制部（２２）は、ニッパ（１０）の刃面（１４）から一定距離離間して配置される規制面（２２Ａ）と、規制面（２２Ａ）よりも刃面（１４）に近接して配置される底面（２２Ｂ）と、規制面（２２Ａ）から底面（２２Ｂ）まで貫通した挿通孔（２２Ｃ）と、を有する。挿通孔（２２Ｃ）の径は、チップ（Ｔ）の外径よりも小さく、かつ溶接ワイヤ（Ｗ）の外径よりも大きい。
【０００８】
このような構成によれば、ニッパ（１０）に取り付けられた保持部（２）の枠部（２１）にチップ（Ｔ）を挿入し、チップ（Ｔ）の先端を規制面（２２Ａ）に当接させることで、溶接ワイヤ（Ｗ）のみが挿通孔（２２Ｃ）を介して規制部（２２）を貫通する。この状態でニッパ（１０）の刃面（１４）によって溶接ワイヤ（Ｗ）を切断すれば、予め決めた長さで溶接ワイヤ（Ｗ）が切断される。したがって、チップ（Ｔ）から延出する溶接ワイヤ２の長さを容易に調整できる。
【０００９】
本開示の一態様では、保持部（２）は、チップ（Ｔ）の挿入方向と交差する方向から規制面（２２Ａ）が視認されるように構成された窓部（２３）をさらに有してもよい。このような構成によれば、チップ（Ｔ）の先端が規制面（２２Ａ）に当接しているか視認できるため、溶接ワイヤ（Ｗ）の長さ調整がより容易になる。
【００１０】
本開示の一態様では、窓部（２３）は、保持部（２）のうち、ニッパ（１０）のグリップ（１５）に近い部分に配置されてもよい。このような構成によれば、容易かつ確実にチップ（Ｔ）の規制面（２２Ａ）への当接状態を確認することができる。
【００１１】
本開示の一態様では、保持部（２）は、チップ（Ｔ）の挿入方向に延伸し、枠部（２１）の内部空間（２１Ａ）及び挿通孔（２２Ｃ）と、保持部（２）の外部とを連通するスリット（２４）をさらに有してもよい。このような構成によれば、挿通孔（２２Ｃ）の径方向と垂直な方向から溶接ワイヤ（Ｗ）を挿通孔（２２Ｃ）に挿入できるので、作業性が向上する。
【００１２】
本開示の一態様では、保持部（２）は、ニッパ（１０）の２つの刃部（１１，１２）のうち、一方の刃部（１１）に固定されてもよい。このような構成によれば、容易かつ確実に溶接ワイヤ（Ｗ）を所定の長さで切断することができる。
【００１３】
本開示の一態様では、枠部（２１）は、内部空間（２１Ａ）に挿入されたチップ（Ｔ）の中心軸が刃面（１４）に対し垂直となるように構成されてもよい。挿通孔（２２Ｃ）は、中心軸が刃面（１４）に対し垂直であってもよい。このような構成によれば、溶接ワイヤ（Ｗ）の切断面が溶接ワイヤ（Ｗ）の軸方向に対して斜めになることを抑制できる。その結果、溶接不良の発生を抑制できる。
【００１４】
本開示の一態様は、刃面（１４）に対し保持部（２）とは反対側に配置されると共に、ニッパ（１０）によって切断された溶接ワイヤ（Ｗ）を保持するように構成された補助保持部（３）をさらに備えてもよい。また、補助保持部（３）は、ニッパ（１０）の２つの刃部（１１，１２）の開閉に連動して開閉するように構成された２つの把持部（３１Ａ，３１Ｂ）を有してもよい。このような構成によれば、切断した溶接ワイヤ（Ｗ）の切除部分が落下しないため、切除部分の回収が容易になる。
【００１５】
なお、上記各括弧内の符号は、後述する実施形態に記載の具体的構成等との対応関係を示す一例であり、本開示は上記括弧内の符号に示された具体的構成等に限定されるものではない。
【図面の簡単な説明】
【００１６】
【図１】図１は、実施形態における治具を取り付けたニッパの模式的な側面図である。
【図２】図２は、溶接ワイヤ及びチップの模式的図である。
【図３】図３Ａは、図１の治具における保持部の側面図であり、図３Ｂは、図３Ａの保持部の平面図であり、図３Ｃは、図３Ａの保持部の正面図であり、図３Ｄは、図３Ａの保持部の背面図である。
【図４】図４は、図１の治具における補助保持部の模式的な底面図である。
【図５】図５は、図１の治具における補助保持部の第１プレートの模式的な平面図である。
【発明を実施するための形態】
【００１７】
以下、本開示が適用された実施形態について、図面を用いて説明する。
［１．第１実施形態］
［１−１．構成］
図１に示すワイヤカット用治具１は、図２に示す溶接ワイヤＷをカットするための治具である。ワイヤカット用治具１は、ニッパ１０に取り付けて使用される。ワイヤカット用治具１は、保持部２と、補助保持部３とを備える。
【００１８】
＜保持部＞
保持部２は、図２に示す溶接ワイヤＷが挿通されたチップＴを保持するように構成されている。
【００１９】
チップＴは、溶接トーチの先端部を構成しており、先端に向かって縮径する円柱状の形状を有する。溶接ワイヤＷは、チップＴの中心軸に沿って設けられた貫通孔に挿通されている。溶接ワイヤＷは、一般的な溶接用途に用いられる。
【００２０】
保持部２は、図３Ａ，３Ｂ，３Ｃ，３Ｄに示すように、枠部２１と、規制部２２と、窓部２３と、スリット２４と、固定部２５とを有する。なお、保持部２は、これらの部位が一体に形成されている。
【００２１】
（枠部）
枠部２１は、チップＴの少なくとも先端部が上面２１Ｂから挿入可能に構成されている。具体的には、枠部２１は、チップＴが挿入可能な内部空間２１Ａが形成された筒状体である。
【００２２】
内部空間２１Ａは、チップＴの先端部の外径に沿った形状を有する。また、本実施形態では、図３Ｂに示すように、枠部２１の軸方向（つまりチップＴの挿入方向）から視た形状は、四角形である。枠部２１の軸方向から視た４隅は、面取りされている。
【００２３】
枠部２１は、内部空間２１Ａに挿入されたチップＴの中心軸がニッパ１０の刃面１４に対し垂直となるように構成されている。つまり、枠部２１の中心軸は、刃面１４に対し垂直である。
【００２４】
なお、ニッパ１０の刃面１４とは、ニッパ１０の２つの刃部（つまりジョー）１１，１２それぞれに設けられた刃において、溶接ワイヤＷの切断に寄与する（つまり溶接ワイヤＷの切断面を形成する）面を意味する。したがって、溶接ワイヤＷの切断面は、ニッパ１０の刃面１４と平行に形成される。
【００２５】
（規制部）
規制部２２は、図３Ａに示すように、枠部２１のチップＴの挿入方向における端部に配置され、枠部２１と連結されている。
【００２６】
規制部２２は、枠部２１と同心に配置された筒状体である。規制部２２の外周面は、枠部２１の外周面と面一に連続している。規制部２２は、規制面２２Ａと、底面２２Ｂと、挿通孔２２Ｃとを有する。
【００２７】
規制面２２Ａは、ニッパ１０の刃面１４から一定距離離間して配置される。規制面２２Ａは、チップＴの先端部と当接することで、チップＴの移動を規制する。つまり、規制面２２Ａは、枠部２１の内部空間２１Ａにおけるニッパ１０の刃面１４に対向する底面を構成している。
【００２８】
本実施形態では、図１に示すように、規制面２２Ａは、刃面１４と平行に配置されている。また、規制面２２Ａとニッパ１０の刃面１４との距離は、図２に示すチップＴにおける溶接ワイヤＷの延出長さＬ０と等しく設定される。
【００２９】
底面２２Ｂは、規制面２２Ａよりも刃面１４に近接して配置されている。つまり、底面２２Ｂは、規制面２２Ａに対し、規制部２２の軸方向に一定距離離間して配置されている。また、底面２２Ｂは、規制面２２Ａと平行である。
【００３０】
挿通孔２２Ｃは、図３Ａに示すように、規制面２２Ａから底面２２Ｂまで貫通している。挿通孔２２Ｃの径は、チップＴの外径よりも小さく、かつ溶接ワイヤＷの外径よりも大きい。そのため、チップＴに挿通された溶接ワイヤＷは、挿通孔２２Ｃを介して、規制部２２を刃面１４に向かって貫通する。挿通孔２２Ｃの中心軸は、枠部２１及び規制部２２の中心軸と平行である。
【００３１】
また、挿通孔２２Ｃは、中心軸が刃面１４に対し垂直となるように配置されている。そのため、挿通孔２２Ｃを通った溶接ワイヤＷは、底面２２Ｂから刃面１４に対して垂直に延出する。
【００３２】
（窓部）
窓部２３は、チップＴの挿入方向と交差する方向（つまり、枠部２１の径方向）から規制面２２Ａが視認されるように構成されている。
【００３３】
窓部２３は、枠部２１及び規制部２２の一部を切欠くことで形成されている。具体的には、窓部２３は、枠部２１と規制部２２との連結部分を内部空間２１Ａ及び挿通孔２２Ｃから枠部２１及び規制部２２の外側まで径方向に取り除くことで形成されている。
【００３４】
窓部２３は、枠部２１の上面２１Ｂと、規制部２２の底面２２Ｂとの間に配置されている。また、窓部２３は、図１に示すように、保持部２のうち、ニッパ１０のグリップ１５に近い部分（つまり固定部２５に近い部分）に配置されている。窓部２３は、枠部２１及び規制部２２の全周のうち、半分以下の領域に設けられている。
【００３５】
（スリット）
スリット２４は、枠部２１の内部空間２１Ａ及び規制部２２の挿通孔２２Ｃと、保持部２の外部とを連通する切欠きである。
【００３６】
スリット２４は、図３Ｃに示すように、枠部２１の上面２１Ｂから、規制部２２の底面２２Ｂまで、チップＴの挿入方向に延伸している。スリット２４は、枠部２１の外周面及び規制部２２の外周面から、枠部２１の内部空間２１Ａ又は規制部２２の挿通孔２２Ｃまでの領域に形成されている。
【００３７】
スリット２４は、図３Ｂに示すように、固定部２５とは反対側、つまり保持部２のうち、ニッパ１０のグリップ１５から遠い部分に配置されている。したがって、スリット２４は、枠部２１及び規制部２２の中心軸に対し、窓部２３と反対側に配置されている。
【００３８】
スリット２４の幅は、溶接ワイヤＷの径よりも大きい。また、スリット２４は、枠部２１及び規制部２２の中心軸から外側に向かって、拡幅している。換言すれば、スリット２４は、保持部２の外側から内側に向かって徐々に周方向の幅が小さくなっている。
【００３９】
（固定部）
固定部２５は、保持部２をニッパ１０に固定するための板状の部位である。固定部２５は、図１に示すように、規制部２２の下部からニッパ１０のグリップ１５に向かって延伸している。
【００４０】
固定部２５は、下面２５Ｃがニッパ１０の第１刃部１１のうち第１刃部１１の揺動軸Ｐと垂直な面に当接する。そのため、固定部２５の下面２５Ｃは、規制部２２の底面２２Ｂに対し交差する方向に延伸している。
【００４１】
固定部２５の下面２５Ｃは、規制部２２の底面２２Ｂに連続している。また、固定部２５の上面（つまり下面２５Ｃと反対側の板面）２５Ｄは、規制部２２の外周面に連続している。
【００４２】
固定部２５は、図３Ａに示すように、第１貫通孔２５Ａと、第２貫通孔２５Ｂとを有する。第１貫通孔２５Ａ及び第２貫通孔２５Ｂは、それぞれ、固定部２５を厚み方向に貫通している。
【００４３】
第１貫通孔２５Ａには、図１に示すボルト４が挿通される。ボルト４によって、保持部２は、ニッパ１０の第１刃部１１に固定されている。本実施形態では、ボルト４は、ニッパ１０の支点部１６（つまり可動中心部）に締結されている。
【００４４】
第２貫通孔２５Ｂには、図１に示すピン５が挿通される。ピン５によって、保持部２が第１刃部１１に対して回転することが抑制される。ピン５は、第１刃部１１の内部に嵌入される。
【００４５】
＜補助保持部＞
補助保持部３は、ニッパ１０によって切断された溶接ワイヤＷを保持するように構成されている。図１に示すように、補助保持部３は、ニッパ１０の刃面１４に対し保持部２とは反対側に配置される。
【００４６】
補助保持部３は、図４に示すように、ニッパ１０の第２刃部１２の刃面１４と反対側の面に取り付けられる第１プレート３１と、ニッパ１０の第１刃部１１の刃面１４と反対側の面に取り付けられる第２プレート３２とを有する。
【００４７】
（第１プレート）
第１プレート３１は、図５に示すように、把持部３１Ａと、取付部３１Ｂと、第１折り曲げ部３１Ｃと、第２折り曲げ部３１Ｄと、貫通孔３１Ｅとを有する。
【００４８】
把持部３１Ａは、第２刃部１２の側面のうち、第１刃部１１と対向する部分（つまり、ニッパ１０が閉じた状態で第１刃部１１と当接する部分）に当接するように折り曲げられる。
【００４９】
取付部３１Ｂは、第２刃部１２の長手方向に沿って延伸する部位である。取付部３１Ｂは、平面視で第２刃部１２の刃面１４と重なる位置から、ニッパ１０の支点部１６及び第２刃部１２の揺動軸Ｐを通って、第２刃部１２とグリップ１５との接続部分まで延伸している。
【００５０】
取付部３１Ｂは、図１に示すように、貫通孔３１Ｅに挿通されたボルト６がニッパ１０の支点部１６に締結されることによって、第２刃部１２の刃面１４と反対側の底面に取り付けられる。
【００５１】
また、第１折り曲げ部３１Ｃ及び第２折り曲げ部３１Ｄを第２刃部１２の側面に当接するようにそれぞれ折り曲げることで、取付部３１Ｂの第２刃部１２に対する回転が防止される。これによって、第１プレート３１は、第２刃部１２に連動して揺動する。
【００５２】
（第２プレート）
第２プレート３２は、第１プレート３１と同様に、把持部３２Ａと、取付部３２Ｂとを有する。
【００５３】
第２プレート３２は、第１プレート３１を２つの刃部１１，１２の対向面に対し反転させたものである。第２プレート３２の把持部３２Ａは、第１プレート３１の把持部３１Ａと対向するように、第１刃部１１の側面に配置される。第２プレート３２の取付部３２Ｂは、第１プレート３１の取付部３１Ｂと重なるように配置される。第２プレート３２は、第１刃部１１に連動して揺動する。
【００５４】
以上から、補助保持部３の２つの把持部３１Ａ，３１Ｂは、２つの刃部１１，１２の開閉に連動して開閉するように構成されている。つまり、２つの刃部１１，１２を開くと、２つの把持部３１Ａ，３１Ｂも開き、２つの把持部３１Ａ，３１Ｂが離間する。また、２つの刃部１１，１２を閉じると、２つの把持部３１Ａ，３１Ｂが閉じ、２つの把持部３１Ａ，３１Ｂ同士が当接する。
【００５５】
これにより、２つの刃部１１，１２を閉じることによって２つの刃部１１，１２の間に挿通された溶接ワイヤＷを切断すると、切断された溶接ワイヤＷが閉じた２つの把持部３１Ａ，３１Ｂの間にて保持される。
【００５６】
［１−２．効果］
以上詳述した実施形態によれば、以下の効果が得られる。
（１ａ）ニッパ１０に取り付けられた保持部２の枠部２１にチップＴを挿入し、チップＴの先端を規制面２２Ａに当接させることで、溶接ワイヤＷのみが挿通孔２２Ｃを介して規制部２２を貫通する。この状態でニッパ１０の刃面１４によって溶接ワイヤＷを切断すれば、予め決めた長さで溶接ワイヤＷが切断される。したがって、チップＴから延出する溶接ワイヤＷの長さＬ０を容易に調整できる。
【００５７】
（１ｂ）チップＴの挿入方向と交差する方向に設けられた窓部２３によって、チップＴの先端が規制面２２Ａに当接しているか視認できるため、溶接ワイヤＷの長さ調整がより容易になる。
【００５８】
（１ｃ）窓部２３が保持部２のうちニッパ１０のグリップ１５に近い部分に配置されることによって、容易かつ確実にチップＴの規制面２２Ａへの当接状態を確認することができる。
【００５９】
（１ｄ）枠部２１の内部空間２１Ａ及び挿通孔２２Ｃと保持部２の外部とを連通するスリット２４によって、挿通孔２２Ｃの径方向と垂直な方向から溶接ワイヤＷを挿通孔２２Ｃに挿入できる。その結果、作業性が向上する。
【００６０】
（１ｅ）保持部２がニッパ１０の２つの刃部１１，１２のうち、第１刃部１１のみに固定されることによって、容易かつ確実に溶接ワイヤＷを所定の長さで切断することができる。
【００６１】
（１ｆ）内部空間２１Ａに挿入されたチップＴの中心軸が刃面１４に対し垂直となると共に、挿通孔２２Ｃの中心軸が刃面１４に対し垂直であることで、溶接ワイヤＷの切断面が溶接ワイヤＷの軸方向に対して斜めになることを抑制できる。その結果、溶接不良の発生を抑制できる。
【００６２】
（１ｇ）補助保持部３の２つの把持部３１Ａ，３１Ｂによって切断した溶接ワイヤＷの切除部分を把持することができる。その結果、溶接ワイヤＷの切除部分が落下しないため、切除部分の回収が容易になる。
【００６３】
［２．他の実施形態］
以上、本開示の実施形態について説明したが、本開示は、上記実施形態に限定されることなく、種々の形態を採り得ることは言うまでもない。
【００６４】
（２ａ）上記実施形態のワイヤカット用治具１において、窓部２３は、必ずしもニッパ１０のグリップ１５に近い部分に配置されなくてもよい。また、窓部２３は、省略されてもよい。
【００６５】
（２ｂ）上記実施形態のワイヤカット用治具１において、スリット２４は、保持部２におけるチップＴの挿入方向の一部のみに設けられてもよい。また、スリット２４は、省略されてもよい。
【００６６】
（２ｃ）上記実施形態のワイヤカット用治具１において、保持部２は、必ずしも第１刃部１１に固定される必要はなく、ニッパ１０の他の部位に固定されてもよい。また、保持部２のニッパ１０への取り付け方法は、締結に限定されない。
【００６７】
（２ｄ）上記実施形態のワイヤカット用治具１において、枠部２１は、必ずしも内部空間２１Ａに挿入されたチップＴの中心軸が刃面１４に対し垂直となるように構成されなくてもよい。つまり、規制部２２の規制面２２Ａは、必ずしも刃面１４と平行でなくてもよい。また、挿通孔２２Ｃは、必ずしも中心軸が刃面１４に対し垂直でなくてもよい。
【００６８】
（２ｅ）上記実施形態のワイヤカット用治具１において、補助保持部３の形状は一例である。補助保持部３は、溶接ワイヤＷの切除部分が保持できれば必ずしも２枚のプレートで構成されなくてもよい。また、補助保持部３は、省略されてもよい。
【００６９】
（２ｆ）上記実施形態における１つの構成要素が有する機能を複数の構成要素として分散させたり、複数の構成要素が有する機能を１つの構成要素に統合したりしてもよい。また、上記実施形態の構成の一部を省略してもよい。また、上記実施形態の構成の少なくとも一部を、他の上記実施形態の構成に対して付加、置換等してもよい。なお、特許請求の範囲に記載の文言から特定される技術思想に含まれるあらゆる態様が本開示の実施形態である。
【符号の説明】
【００７０】
１…ワイヤカット用治具、２…保持部、３…補助保持部、４…ボルト、５…ピン、
６…ボルト、１０…ニッパ、１１…第１刃部、１２…第２刃部、１４…刃面、
１５…グリップ、１６…支点部、２１…枠部、２１Ａ…内部空間、２１Ｂ…上面、
２２…規制部、２２Ａ…規制面、２２Ｂ…底面、２２Ｃ…挿通孔、２３…窓部、
２４…スリット、２５…固定部、２５Ａ…第１貫通孔、２５Ｂ…第２貫通孔、
２５Ｃ…下面、２５Ｄ…上面、３１…第１プレート、３１Ａ…把持部、
３１Ｂ…取付部、３１Ｃ…第１折り曲げ部、３１Ｄ…第２折り曲げ部、
３１Ｅ…貫通孔、３２…第２プレート、３２Ａ…把持部、３２Ｂ…取付部、
Ｔ…チップ、Ｗ…溶接ワイヤ。
【図１】
2019136279.tif 000003
【図２】
2019136279.tif 000004
【図３】
2019136279.tif 000005
【図４】
2019136279.tif 000006
【図５】
2019136279.tif 000007